【事件の表示】
　特願２０１６−５３６６７２「貴金属及び小細孔モレキュラーシーブを含む受動的ＮＯｘアドソーバ」拒絶査定不服審判事件〔平成２７年６月１１日国際公開、ＷＯ２０１５／０８５３０３、平成２９年１月１２日国内公表、特表２０１７−５０１３２９〕について、次のとおり審決する。
【結　論】
　本件審判の請求は、成り立たない。
【理　由】
第１　手続の経緯
　本願は、２０１４年（平成２６年）１２月８日（パリ条約による優先権主張外国庁受理２０１３年１２月６日（ＵＳ）アメリカ合衆国）を国際出願日とする出願であって、平成３０年１０月１８日付け（発送日：同年１０月２３日）で拒絶の理由が通知され、平成３１年１月２３日に意見書及び手続補正書が提出されたが、平成３１年３月２９日付け（発送日：同年４月９日）で拒絶査定がされ、これに対し、令和元年８月８日に拒絶査定不服審判が請求されたものである。
第２　本願発明
　本願の請求項１ないし１４に係る発明は、平成３１年１月２３日の手続補正により補正された特許請求の範囲の請求項１ないし１４に記載された事項により特定されるものであるところ、その請求項１に係る発明（以下「本願発明」という。）は、その請求項１に記載された事項により特定される、以下のとおりのものである。
　「低温度以下でＮＯｘを吸着すること及び低温度より上の温度で吸着されたＮＯｘを放出することに効果的な受動的ＮＯｘアドソーバであって、パラジウム、及び８つのテトラヘドラル原子の最大リングサイズを有する小細孔モレキュラーシーブを含む、受動的ＮＯｘアドソーバ。」
第３　拒絶査定の概要
　平成３１年３月２９日付けの拒絶査定の概要は次のとおりである。
「この出願については、平成３０年１０月１８日付け拒絶理由通知書に記載した理由によって、拒絶をすべきものです。
備考
●理由（特許法第２９条第２項）について
・請求項１
・引用文献等１−４
＜引用文献等一覧＞
１.特開２０００−２３０４１４号公報
２.特開２００８−２８６００１号公報
３.特開２００２−３４９２４７号公報
４.特表２０１３−５２２０１１号公報」
　また、平成３０年１０月１８日付け拒絶理由通知書の概要は次のとおりである。
「（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項１
・引用文献等１−４
＜引用文献等一覧＞
１.特開２０００−２３０４１４号公報
２.特開２００８−２８６００１号公報
３.特開２００２−３４９２４７号公報
４.特表２０１３−５２２０１１号公報」
第４　引用文献の記載事項
１　引用文献３
　原査定の拒絶の理由で引用された、本願の優先日前に頒布された又は電気通信回線を通じて公衆に利用可能となった引用文献である特開２００２−３４９２４７号公報（以下、「引用文献３」という。）には、「内燃機関の排気浄化装置」に関して、図面（特に、図２を参照。）とともに次の記載がある（下線は、理解の一助のために当審が付与したものである。以下同様。）。
ア　「【０００８】
【課題を解決するための手段】本発明者らは、上記問題点の解決のために各種検討を行い、貴金属をセリア（ＣｅＯ2 ）のみに担持してなるトラップ成分を含有する低温ＮＯｘトラップ触媒（以下、セリアベース排気浄化触媒という）やゼオライトを含有する低温ＮＯｘトラップ触媒（以下、ゼオライト排気浄化触媒という）が低温時にＮＯｘをトラップするときの条件に関し、流入する排気ガス中の水分量をコントロールすることで、上記問題点を解決できることを見出し、本発明を完成するに至った。
【０００９】すなわち、低温時にゼオライト排気浄化触媒にＮＯｘをトラップさせる場合に、内燃機関から排出される水分量を減少させることでＮＯｘのトラップ量を増加させることができるが、この場合にゼオライト排気浄化触媒に流入する排気ガス中の水分を完全に除湿するのではなく、ある程度の濃度の水分を残した状態で、この水分と共にＮＯｘをトラップさせることで、温度上昇に伴うＮＯｘの脱離を特に２００℃程度までは大幅に抑制できることを見出したものである。
【００１０】図１にその実験結果を示している。図１に示すように、ＮＯｘトラップ期間中（ゼオライト排気浄化触媒が低温の期間）の水分濃度が０％（完全除湿の状態）の場合、ゼオライト排気浄化触媒の温度が２００℃以下でのＮＯｘ脱離割合（ＮＯｘトラップ量に対する脱離量の割合）が高く、半分以上が脱離するのに対し、水分濃度が増加すると、この２００℃以下でのＮＯｘ脱離割合が急激に減少し、特に水分濃度を概略１％（もしくはそれ以上）にコントロールすることで、低温時のＮＯｘの脱離を大幅に抑制できることが、本発明者らの検討によって明らかになった。尚、セリアベース排気浄化触媒についても図１と同様の実験結果が得られた。
【００１１】このような背景の下、請求項１の発明では、内燃機関の排気通路に、貴金属をセリア（ＣｅＯ2 ）のみに担持してなるトラップ成分又はゼオライトを含有する低温ＮＯｘトラップ触媒を配置し、この低温ＮＯｘトラップ触媒により排気温度の低温時にＮＯｘをトラップし、トラップしたＮＯｘを高温時において脱離処理を行う内燃機関の排気浄化装置において、前記低温ＮＯｘトラップ触媒に流入する水分量をコントロールする手段を有し、この水分量コントロール手段により、前記低温ＮＯｘトラップ触媒に流入する水分量を、少なくとも内燃機関から排出される水分量よりも低減すると共に、かつ完全除湿ではない所定の水分濃度以上を供給するようにコントロールすることを特徴とする。」
イ　「【００４０】また、ゼオライト排気浄化触媒１３には触媒温度センサ１６が設置されており、ゼオライト排気浄化触媒１３の温度Ｔｃａｔを検出して、ＥＣＵ７に入力している。
ゼオライト排気浄化触媒１３は、主にゼオライトで構成されたものである。ここでゼオライトとしては、例えばβゼオライト、Ａ型ゼオライト、Ｙ型ゼオライト、Ｘ型ゼオライト、ＺＳＭ−５、ＵＳＹ、モルデナイト、フェリエライトを使用でき、これらのゼオライトをハニカム担体にコーティングして構成されたものである。
【００４１】このような
ゼオライト排気浄化触媒１３（又はセリアベース排気浄化触媒）では、触媒温度が１００℃以下というような低い条件でもＮＯｘをトラップすることができる。また、この触媒が昇温するに伴い、低温でトラップしたＮＯｘは脱離するが、これは前述したように、ＮＯｘトラップ期間中の水分をコントロールすることで、特に２００℃以下での脱離を抑制できることがわかった。
【００４２】また、
このゼオライト排気浄化触媒１３は、その表層にさらに白金Ｐｔ、パラジウムＰｄ、ロジウムＲｈ等の貴金属を担持したアルミナをコーティングしたものでも良い。
ウ　「【００４８】
ゼオライト排気浄化触媒１３は、１００℃以下の低温でも排気ガス中のＮＯｘをトラップすることが可能であり、流入する約１％の水分と共にＮＯｘをトラップし、ＮＯｘの脱離を防止できる。その後、触媒の暖機が進み、ゼオライト排気浄化触媒１３にトラップされたＮＯｘも脱離することになるが、前述のように水分と共にトラップされたＮＯｘは、約２００℃程度まで脱離を抑制されているため、未浄化のまま放出されるＮＯｘを大幅に低減できる。さらに、温度が上昇し、２００℃を超える条件になると、ゼオライト排気浄化触媒１３にトラップされていたＮＯｘが脱離を開始する
エ　上記ウの記載事項から、ゼオライト排気浄化触媒１３は、約２００℃程度までＮＯｘをトラップし、２００℃を超える条件になるとトラップされていたＮＯｘが脱離するものであり、受動的ＮＯｘアドソーバとしての機能を有しているといえる。
　これらの記載事項及び図面の図示内容を総合し、本願発明の記載ぶりに則り整理すると、引用文献３には、以下の発明（以下、「引用発明」という。）が記載されている。
「約２００℃程度まででＮＯｘをトラップすること及び２００℃を超える条件でトラップされたＮＯｘを脱離することに効果的なゼオライト排気浄化触媒１３であって、パラジウム、及びゼオライトを含む、ゼオライト排気浄化触媒１３。」
２　引用文献４
　原査定の拒絶の理由で引用された、本願の優先日前に頒布された又は電気通信回線を通じて公衆に利用可能となった引用文献である特表２０１３−５２２０１１号公報（以下、「引用文献４」という。）には、「ＮＯｘの選択還元触媒のための無秩序なモレキュラシーブ担体」に関して、次の記載がある。
ア　「【００２３】
  本発明の態様は、
触媒、前記触媒用として選択されたモレキュラーシーブ担体、及びＮＯｘの選択触媒還元での前記触媒の使用を含む。
【００２４】
  
本発明の一の実施態様によって、ＮＯｘの選択触媒還元のための触媒は、Ｃｒ、Ｍｎ、Ｆｅ、Ｃｏ、Ｃｅ、Ｎｉ、Ｃｕ、Ｚｎ、Ｇａ、Ｍｏ、Ｒｕ、Ｒｈ、Ｐｄ、Ａｇ、Ｉｎ、Ｓｎ、Ｒｅ、Ｉｒ、Ｐｔ及びこれらの混合物から選択される一種以上の担体に担持される遷移金属を含み、前記担体は、少なくとも１つの無秩序を有するモレキュラーシーブを含む。
【００２５】
  
モレキュラーシーブは、当業者によく知られている。ここで用いられるように、「モレキュラーシーブ」はガス又は液体用吸着剤として使用され得る、正確、且つ、均一な大きさの細孔を含む準安定（ｍｅｔａｓｔａｂｌｅ）物質を意味することが理解される。前記細孔を介して通過するのに十分に小さな前記分子は吸着され、反面、より大きいな分子は吸着されない。モレキュラーシーブフレームワークは、一般に国際ゼオライト協会により認められるフレームワーク形態コードと定義され得る（http：//www.iza-online.org/）。前記フレームワーク形態は、モレキュラーシーブ又はそのケージ配列を含むゼオライト構造、チャネルシステムの次元（ｄｉｍｅｎｓｉｏｎａｌｉｔｙ）、細孔開口の概略的な大きさを説明する。構成、フレームワークの形状（ｇｅｏｍｅｔｒｙ：ゲオメトリー）、欠陥の数及び性質とも関連する。前記モレキュラーシーブの細孔大きさは、以下のように員環により定義され得る：大細孔環は、１２-員環又はこれよりも更に大きいものであり、中細孔環は、１０-員環であり、小細孔環は、９-員環又はこれよりも小さなものである。好ましくは、小細孔環は、８-員環又はこれよりも小さい。
イ　「【００３３】
  例示的な実施例において、
前記フレームワーク構造は、小細孔モレキュラーシーブである。小細孔モレキュラーシーブは、９個の四面体原子の最大リング大きさを有するものと定義される。
ウ　「【００４０】
  
好適な実施態様において、本発明の触媒は、担体上に担持されるＣｒ、Ｍｎ、Ｆｅ、Ｃｏ、Ｃｅ、Ｎｉ、Ｃｕ、Ｚｎ、Ｇａ、Ｍｏ、Ｒｕ、Ｒｈ、Ｐｄ、Ａｇ、Ｉｎ、Ｓｎ、Ｒｅ、Ｉｒ、Ｐｔ、及びこれらの混合物からなる群より選択される一種以上の遷移金属を含み、前記担体は、少なくとも２つの異なる小-細孔、３次元フレームワーク構造を含む少なくとも１つの連晶相を備えるモレキュラーシーブを含む。少なくとも２つの異なる小-細孔、３次元フレームワーク構造を含む少なくとも１つの連晶相を有する金属含有モレキュラーシーブは、特に低温（例えば、約３５０℃未満、好ましくは約２５０℃未満、例えば約１５０〜約２５０℃又は約２００〜２５０℃）で例外的に優れたＮＯｘ還元性能（例えば、ＳＣＲの適用時に）を提供するということが見出された。
【００４１】
  
ある実施例において、前記連晶は、それぞれが最大８員環を有する少なくとも２つの異なる小-細孔、３次元フレームワーク構造を含む。
エ　「【００５１】
  本発明で用いるためのモレキュラーシーブ触媒は、適切な基材モノリス上にコーティングされるか、押出し形態の触媒として形成され得るが、好ましくは、触媒コーティングの形態で用いられる。一の実施態様において、前記モレキュラーシーブ触媒は、フロースルーモノリス基材（即ち、全体部分を通過して軸方向に沿って延びた多くの小さくて平行なチャネルを備えるハニカムモノリス触媒担体構造）又はウォールフロー（ｗａｌｌ-ｆｌｏｗ）フィルタのようなフィルタモノリス基材などにコーティングされる。本発明で用いるための前記モレキュラーシーブ触媒は、適切なモノリス基材（例えば、金属又はセラミックフロースルーモノリス基材）又はフィルタリング基材（例えば、ウォールフローフィルタ）又は焼結金属又は部分フィルタ（例えば、ＷＯ０１／８０９７８又はＥＰ１０５７５１９に開示されたもの）上に、例えばウォッシュコート部材としてコーティングされ得る。これとは異なり、本発明で用いるための前記モレキュラーシーブは、前記基材上で直接合成されるか、押出型フロースルー触媒中に形成され得る。
【００５２】
  押出型基材モノリスを製造するために、モノリス基材上にコーティングするための本発明で用いるためのモレキュラーシーブを含むウォッシュコート組成物は、バインダ（例えば、アルミナ）、シリカ、（非モレキュラーシーブ）シリカ-アルミナ、自然発生的なクレー（例えば、ＴｉＯ２、ＺｒＯ２、ＳｎＯ２、ＣｅＯ２）又はこれらの混合物を含む。
【００５３】
 
 本発明の一の実施態様によれば、前記触媒を用いる方法は、前記触媒を化学工程で少なくとも１つの反応物に露出させる段階を含む。即ち、ガス内のＮＯｘを還元させる方法は、ＮＯｘのような少なくとも１つの反応物を有するガス（排気ガス、排煙ガス）を触媒に露出させる段階を含む。ここで用いられるように、ガス内のＮＯｘを還元させるための化学工程は、モレキュラーシーブ又はゼオライトを含む触媒を利用するあらゆる適切な化学工程を含むことができる。典型的な化学工程は、これに制限されるものではないが、ＮＯｘ吸着剤触媒又は三元触媒（ＴＷＣ）（例えば、ＮＡＣ+（下流側）ＳＣＲ又はＴＷＣ+（下流側）ＳＣＲ）を備える窒素系還元剤、リーンＮＯｘ触媒、触媒媒煙フィルタ、又はこれらのうちの何れか１つの組み合わせを利用する選択触媒還元法のような排気ガス処理を含む。
【００５４】
  リーン燃焼内燃機関の排気ガス内のＮＯｘを処理する方法は、リーンガス炉からのＮＯｘを基礎原料（ｂａｓｉｃｍａｔｅｒｉａｌ）に貯蔵した後、基礎原料からＮＯｘを放出し、これをリッチガスを用いて周期的に還元させることである。基礎原料（例えば、アルカリ金属、アルカリ土類金属、又は希土類）、及び貴金属（例えば、白金）、及び還元触媒要素（例えば、ロジウム）の組み合わせは、一般にＮＯｘ吸着剤触媒（ＮＡＣ）、リーンＮＯｘトラップ（ＬＮＴ）、又はＮＯｘ貯蔵／還元触媒（ＮＳＲＣ）として言及される。ここで用いられるように、ＮＯｘ貯蔵／還元触媒、ＮＯｘトラップ、及びＮＯｘ吸着剤触媒（又はこれらの頭字語（ａｃｒｏｎｙｍ））は、交換可能に使用され得る。
【００５５】
  ある条件で、周期的なリッチ再生過程で、ＮＨ３はＮＯｘ吸着剤触媒を経て生成され得る。ＮＯｘ吸着剤触媒の下流にＳＣＲ触媒を追加することによって、システム全体のＮＯｘ還元効率が向上し得る。前記複合システムにおいて、前記ＳＣＲ触媒は、リッチ再生過程でＮＡＣ触媒から放出されたＮＨ３を貯蔵する能力を有し、貯蔵されたＮＨ３を用いて一般的なリーン作動条件中にＮＡＣ触媒を通るＮＯｘ全体又は一部を選択的に還元する。ここで用いられるように、このような混合システムは、ＮＡＣ+ＳＣＲ又はＬＮＴ+ＳＣＲのような代表的な頭字語として表示され得る。」
オ　「【００６１】
  特定の実施態様において、
前記方法は、ディーゼルエンジン、ガソリンエンジン、又はＬＰＧ又はＬＮＧエンジンのようにリーン／リッチサイクルを有する車両内燃機関から発生する排気ガスを処理するために用いられる。
カ　「【請求項７】
  排気ガス又は排煙ガスのＮＯｘを還元させる装置であって、
  ａ）触媒と、
  ｂ）基材とを備えてなり、
前記触媒が、
    ｉ）Ｃｒ、Ｍｎ、Ｆｅ、Ｃｏ、Ｃｅ、Ｎｉ、Ｃｕ、Ｚｎ、Ｇａ、Ｍｏ、Ｒｕ、Ｒｈ、Ｐｄ、Ａｇ、Ｉｎ、Ｓｎ、Ｒｅ、Ｉｒ、Ｐｔ、及びこれの混合物からなる群より選択される一種以上の遷移金属と、
    ｉｉ）少なくとも２つの異なる小-細孔と、３次元フレームワーク構造を備えてなる少なくとも一種の連晶相を有するモレキュラーシーブを備えてなる担体と、
を備えてなり、
  前記一種以上の遷移金属が、モレキュラーシーブの細孔の内部に存在し、及び／又はモレキュラーシーブの外部表面に存在してなるものであり、
  前記触媒が前記基材の上に配置されてなり、
  前記基材が、選択触媒還元（ＳＣＲ）用フロースルーモノリス、選択触媒還元用ウォールフローフィルタ（ＳＣＲＦ）、及び／又はリーンＮＯｘトラップとしての使用に適したものである、ＮＯｘを還元させる装置。」
キ　アないしウの記載事項、特に段落【００２５】、【００３３】及び【００４１】の記載事項からみて、８-員環である小細孔環は、８個の四面体原子の最大リング大きさを有する小細孔モレキュラーシーブであるといえる。
　これらの記載事項及び図面の図示内容を総合すると、引用文献４には、以下の事項が記載されている。
「Ｃｒ、Ｍｎ、Ｆｅ、Ｃｏ、Ｃｅ、Ｎｉ、Ｃｕ、Ｚｎ、Ｇａ、Ｍｏ、Ｒｕ、Ｒｈ、Ｐｄ、Ａｇ、Ｉｎ、Ｓｎ、Ｒｅ、Ｉｒ、Ｐｔ、及びこれの混合物からなる群より選択される一種以上の遷移金属と、８個の四面体原子の最大リング大きさを有する小細孔モレキュラーシーブを含む担体とを含むＮＯｘの選択還元触媒とすること。」
第５　対比
　本願発明と引用発明とを対比すると、後者の「約２００℃程度まで」はその機能、構成及び技術的意義からみて前者の「低温度以下」に相当し、以下同様に、「トラップ」は「吸着」に、「２００℃を超える条件」は「低温度より上の温度」に、「脱離」は「放出」に、「ゼオライト排気浄化触媒１３」は「受動的ＮＯｘアドソーバ」にそれぞれ相当する。
　また、後者の「ゼオライト」と前者の「８つのテトラヘドラル原子の最大リングサイズを有する小細孔モレキュラーシーブ」とは、「ゼオライト」という限りで一致する。
　したがって、両者は、
「低温度以下でＮＯｘを吸着すること及び低温度より上の温度で吸着されたＮＯｘを放出することに効果的な受動的ＮＯｘアドソーバであって、パラジウム、及びゼオライトを含む、受動的ＮＯｘアドソーバ。」
である点で一致し、次の点で相違する。
［相違点］
　「ゼオライト」に関し、前者は「８つのテトラヘドラル原子の最大リングサイズを有する小細孔モレキュラーシーブ」であるのに対し、後者の「ゼオライト」が「８つのテトラヘドラル原子の最大リングサイズを有する小細孔モレキュラーシーブ」であるか不明な点。
第６　判断
　相違点について検討すると、引用文献４の記載事項は次のとおりである。
「Ｃｒ、Ｍｎ、Ｆｅ、Ｃｏ、Ｃｅ、Ｎｉ、Ｃｕ、Ｚｎ、Ｇａ、Ｍｏ、Ｒｕ、Ｒｈ、Ｐｄ、Ａｇ、Ｉｎ、Ｓｎ、Ｒｅ、Ｉｒ、Ｐｔ、及びこれの混合物からなる群より選択される一種以上の遷移金属と、８個の四面体原子の最大リング大きさを有する小細孔モレキュラーシーブを含む担体とを含むＮＯｘの選択還元触媒とすること。」
　そして、引用発明と引用文献４の記載事項とは、内燃機関から発生する排気ガスを処理する技術である点で共通する。また、特に低温におけるＮＯｘ浄化に関する技術である点でも共通する。さらに、引用文献４の記載事項は、引用文献４の段落【００５３】（第４　２　エを参照。）の記載事項から、引用文献４の記載事項は、ＮＯｘ吸着剤触媒又は三元触媒を備える窒素系還元剤、リーンＮＯｘ触媒、触媒媒煙フィルタ、又はこれらのうち何れか１つの組み合わせを利用する選択触媒還元法のような排気ガス処理で用いることができるといえる。
　
　そうすると、このような引用発明に引用文献４の記載事項を適用し、上記相違点にかかる本願発明の発明特定事項とすることは、当業者であれば容易になし得たことである。
　また、本願発明は、全体としてみても、引用発明及び引用文献４の記載事項から予測し得ない格別な効果を奏するものではない。
　したがって、本願発明は、引用発明及び引用文献４の記載事項に基いて、当業者が容易に発明をすることができたものである。
第７　審判請求人の主張について
　審判請求人は、審判請求書において
「当業者であっても、具体的にパラジウムを選択するための示唆も教示も存在しない引用文献１−３に記載の窒素酸化物吸収材料等においてパラジウムを具体的に選択するのは容易ではない。」と主張する。
　しかしながら、引用文献３の段落【００４２】（第４　１　イを参照。）には、「このゼオライト排気浄化触媒１３は、その表層に白金Ｐｔ、パラジウムＰｄ、ロジウムＲｈ等の貴金属を担持したアルミナをコーティングしたものでもよい。」と記載されている。すなわち、「具体的にパラジウムを選択する」ものか否かに関わらず、引用文献３は、パラジウムを含むゼオライト排気浄化触媒１３を開示するものと理解できる。そして、引用発明は、当該理解を踏まえ、引用文献３に開示されたものに基づき認定したものである。したがって、請求人の上記主張は当を得ない。
　さらに、請求人が主張するとおり、引用文献３は「具体的にパラジウムを選択するための示唆も教示も存在しない」ものであると仮定し、さらに検討を進めると、
　一般に低温の排気ガスを処理するための装置において、ゼオライトに担持する貴金属としてパラジウムを選択することは、例えば国際公開第２０１２／１６６８６８号（３ページ２４行ないし４ページ３行（対応する日本語特許ファミリー文献（特表２０１４−５１９９７５号公報）の段落【００１２】）を参照。）、特表平１１−５０６６９８号公報（６ページ２行ないし７ページ８行を参照。）にみられるように周知技術であり、自動車の触媒に白金、ロジウム、パラジウムのような貴金属触媒が広く用いられていることも、例えば特開平９−４４４０号公報（段落【００４４】を参照。）にみられるように周知の事項にすぎない。さらに、本願明細書の発明の詳細な説明の記載をみても、段落【００１０】に記載されるように「パラジウムが、特に好ましい。」と記載されているのみであって、「具体的にパラジウムを選択する」ことの技術的意義、あるいは貴金属としてパラジウムを選択することにより生じる、他の貴金属を採用した場合とは異なる効果又は顕著な効果についての具体的な記載を見出すことはできない。
　そうすると、当該仮定においても、引用文献３に記載された発明において、「具体的にパラジウムを選択する」ことは、引用文献３に記載された発明から、上記周知技術或いは周知の事項を踏まえて当業者の通常の創作能力の範囲で適宜想到し得たことといえるから、請求人の主張は当を得ない。
　したがって、請求人の上記主張は採用できない。
第８　むすび
　以上のとおり、本願発明は、特許法第２９条第２項の規定により特許を受けることができないから、他の請求項に係る発明について検討するまでもなく、本願は拒絶をすべきものである。
　よって、結論のとおり審決する。